(57)【要約】  【課題】快適な座り心地を実現する背もたれおよびその背もたれを備える椅子を提供する。  【解決手段】  背もたれ３０における背中支持体３１は、左右に広がる可撓性を有する板状部材３３を、所定の間隔を開けて上下方向に複数並べて構成されている。  この背中支持体３１における人の腰部が当たる腰部領域３４に配置された板状部材３３は、左右の両側面における支持領域３７から、中央の屈曲領域３６に向かって、前後方向の厚みが漸次薄くなるように形成されている。  背中２によって荷重が掛かった腰部領域３４の板状部材３３は、相対的に撓みやすい屈曲領域３６が後方に折れ曲がるように撓んで変形し、使用者の背中を支持領域３７が左右両側後方からホールドする。【選択図】図１
2010051384.tif 000002
【特許請求の範囲】
【請求項１】
椅子に取り付けて使用され、前記椅子の使用者がもたれかかる左右方向に拡がる背もたれであって、
左右方向の中央に位置する屈曲領域と、前記屈曲領域の左右両側に位置し、前記屈曲領域よりも撓みにくい支持領域と、を有する
ことを特徴とする背もたれ。
【請求項２】
前記屈曲領域は、前記支持領域よりも薄く形成されている
ことを特徴とする請求項１に記載の背もたれ。
【請求項３】
前記背もたれは、前記屈曲領域および前記支持領域を有する背中支持体と、前記背中支持体を囲むように支持する枠体と、から構成されている
ことを特徴とする請求項１または請求項２に記載の背もたれ。
【請求項４】
前記背もたれは、左右に広がる板状部材を、上下方向に複数並べて構成されている
ことを特徴とする請求項１から請求項３のいずれかに記載の背もたれ。
【請求項５】
前記背もたれは、前記椅子の使用者の腰部が当たる腰部領域と、前記腰部領域の上方向に位置する背部領域と、を有しており、前記屈曲領域および前記支持領域は、前記腰部領域に位置する
ことを特徴とする請求項１または請求項２に記載の背もたれ。
【請求項６】
前記背部領域は、前記支持領域よりも撓みやすい
ことを特徴とする請求項５に記載の背もたれ。
【請求項７】
前記背部領域は、前記支持領域よりも薄く形成されている
ことを特徴とする請求項５または請求項６に記載の背もたれ。
【請求項８】
前記腰部領域および前記背部領域は、左右に広がる板状部材を、上下方向に複数並べて構成されている
ことを特徴とする請求項５から請求項７のいずれかに記載の背もたれ。
【請求項９】
前記背部領域に配置された複数の前記板状部材の上下方向に関する間隔は、前記腰部領域に配置された複数の前記板状部材の上下方向に関する間隔よりも大きい
ことを特徴とする請求項８に記載の背もたれ。
【請求項１０】
前記背もたれは、前記腰部領域および前記背部領域を有する背中支持体と、前記背中支持体を囲むように支持する枠体と、から構成されている
ことを特徴とする請求項５から請求項９のいずれかに記載の背もたれ。
【請求項１１】
前記枠体は、前記腰部領域を支持する腰部支持部と、前記背部領域を支持しており、前記腰部支持部よりも撓みやすい背部支持部と、を有している
ことを特徴とする請求項１０に記載の背もたれ。
【請求項１２】
前記枠体は、前記腰部支持部が、前記背部支持部よりも厚く形成されている
ことを特徴とする請求項１１に記載の背もたれ。
【請求項１３】
請求項１から請求項１２のいずれかに記載の背もたれを備える椅子。
【発明の詳細な説明】
【技術分野】
【０００１】
本発明は、椅子の使用者がもたれかかる椅子の背もたれと、その背もたれを備える椅子に関する。
【背景技術】
【０００２】
従来から、椅子の座り心地の向上のため、柔らかい感触を与えるクッション性や可撓性を有する背もたれを備えた椅子が提案されている。
例えば、背もたれの中央部分の周辺の撓み剛性を、その中央部分の撓み剛性よりも小さくした椅子が提案されている（特許文献１参照）。このように構成された椅子は、椅子の使用者がもたれたときに、撓み剛性の大きい背もたれの中央部分は大きく撓まず、その周辺部分が撓んで背中の形状に沿って左右両側から抱え込むような形に変形する。
【特許文献１】特開２００８−１１９２４７号公報
【発明の開示】
【発明が解決しようとする課題】
【０００３】
椅子の背もたれにより、背中、特に腰部付近を左右両側後方から支持する（以降、単に「ホールドする」という）と、安定した適切な着席姿勢が保たれ、腰椎や脊椎への負担が軽減されて疲れ難くなる。
【０００４】
この点に関し、上記特許文献１の椅子では、背もたれにもたれると、背もたれが沈み込んで柔らかい感触を得ることはできるものの、背中のホールドを実現することができない。よって、使用者の着席姿勢を正しく保つことができず、腰椎や脊椎への負担が大きくなって、椅子に快適に着席できない可能性があった。このことは、特に長時間着席する場合に問題となった。
【０００５】
また、上述した椅子以外でも、背もたれ全体が撓むように構成された椅子や、背もたれとしてネットを張った構成の椅子などは、背もたれが背中の形状に沿って変形するため、上述した椅子と同様に背中をホールドすることができなかった。
【０００６】
本発明は、上記の問題を解決するためになされており、快適な座り心地を実現する背もたれおよびその背もたれを備える椅子を提供することを目的とする。
【課題を解決するための手段】
【０００７】
上述した問題を解決するためになされた請求項１に記載の発明は、椅子に取り付けて使用され、上記椅子の使用者がもたれかかる左右方向に拡がる背もたれであって、左右方向の中央に位置する屈曲領域と、屈曲領域の左右両側に位置し、屈曲領域よりも撓みにくい支持領域と、を有することを特徴とする。
【０００８】
このように構成された背もたれは、使用者がもたれたときに使用者の背中をホールドする。その作用を、図４に示す椅子１を例として説明する。
椅子１の使用者の背中が背もたれ（板状部材３３）にもたれかかると、使用者の荷重が背もたれに掛からない状態（図４における板状部材３３Ａ）から、使用者の荷重が背もたれに掛かった状態（図４における板状部材３３Ｂ）に変形する。このとき、使用者から受ける荷重は、背もたれの中央に最も強く掛かり、相対的に撓みやすい屈曲領域３６が後方に折れ曲がるように撓んで変形する。一方、相対的に撓みにくい支持領域３７は大きく撓まない。そのため、屈曲領域３６は後方に変位するものの、支持領域３７は矢印Ｃ方向に移動する。
【０００９】
その結果、荷重を受けて撓んだ板状部材３３Ｂにおける屈曲領域３６の位置に対する支持領域３７の位置は、荷重を受けない状態の板状部材３３Ａにおける屈曲領域３６に対する支持領域３７の位置よりも前方に位置することとなり、図５に示すように、使用者の背中２を支持領域３７が左右両側後方からホールドすることとなる。また、支持領域３７は撓みにくいため、背中２をホールドしたときに背中の形状に沿って変形しにくいため、しっかりと背中をホールドすることができる。
【００１０】
このように、本発明の背もたれであれば、使用者がもたれたときに後方に撓むことにより柔らかい感触を得ることができると共に、背中をホールドして安定した適切な着席姿勢を保つことができる結果、椅子への快適な座り心地を実現することができる。
【００１１】
なお、従来のように支持領域および屈曲領域を有しない構成である場合、図７に示すように、背中２の形状に沿って背もたれ（板状部材３３）が変形するため、背中２を充分にホールドすることができない。
【００１２】
背もたれにおける支持領域と屈曲領域との撓みやすさを変化させるための方法は特に限定されない。例えば、背もたれを、可撓性を付与するための多数の開口を設けた樹脂製の基板で形成し、屈曲領域におけるその開口の開口率を支持領域の開口率よりも大きくなるように形成して、屈曲領域を撓みやすくする構成や、撓みやすさの異なる複数の基板を用意し、撓みやすい基板を屈曲領域に配置し、撓みにくい基板を支持領域に配置する構成などが考えられる。
【００１３】
また、上記構成とは異なる構成として、請求項２に記載の背もたれのように、上記屈曲領域が、上記支持領域よりも薄く形成されていてもよい。
このように構成された背もたれであれば、屈曲領域を支持領域よりも撓みやすくできるため、請求項１の構成を実現することができる。また、背もたれを構成する部材の厚みを変化させているだけであるから、支持領域と屈曲領域との撓みやすさを変化させるために、背もたれを複雑な構造としたり、異なる材質の部材を組み合わせて形成したりする必要がなくなる。
【００１４】
請求項３に記載の発明は、請求項１または請求項２に記載の背もたれであって、上記背もたれが、上記屈曲領域および上記支持領域を有する背中支持体と、背中支持体を囲むように支持する枠体と、から構成されていることを特徴とする。
【００１５】
このように構成された背もたれであれば、背中のホールドを実現する背中支持体が、適切な位置で正しく撓むように枠体によって補強される。よって、使用者の背中をより適切にホールドすることができ、安定した適切な着席姿勢を保つことができる。
【００１６】
請求項４に記載の発明は、請求項１から請求項３のいずれかに記載の背もたれであって、上記背もたれが、左右に広がる板状部材を、上下方向に複数並べて構成されていることを特徴とする。
【００１７】
このように構成された背もたれは、背もたれを構成する板状部材が左右方向に長さを有しているため、その方向に沿って撓みやすさを変えることで、上述した屈曲領域および支持領域を容易に形成することができる。
【００１８】
ところで、背もたれにおける上述したホールドを実現する領域は、背中支持体全体であってもよいが、その一部に限定されたものであっても良い。例えば、請求項５に記載のように、請求項１または請求項２に記載の背もたれにおいて、上記背もたれは、椅子の使用者の腰部が当たる腰部領域と、上記腰部領域の上方向に位置する背部領域と、を有しており、上記屈曲領域および上記支持領域が、上記腰部領域に位置するように構成されていてもよい。
【００１９】
このように構成された背もたれであれば、背中における腰部をホールドすることができるため、着席姿勢を安定して適切に保つことができ、腰椎への負担が小さくなるため、長時間着席したときに疲労を感じにくくすることができる。
【００２０】
請求項６に記載の発明は、請求項５に記載の背もたれにおいて、上記背部領域が、上記支持領域よりも撓みやすいことを特徴とする。
このように構成された背もたれは、背部領域が容易に撓むこととなる。よって、着席した状態における使用者の姿勢の変化に追従して背部領域が容易に撓む結果、着席して行う動作の妨げになりにくくなり、腰部をホールドしつつ背部に自由度を持たせることで、椅子を快適に使用できるようになる。
【００２１】
上述した請求項５または請求項６に記載の背もたれは、請求項７に記載の背もたれのように、上記背部領域が、上記支持領域よりも薄く形成されていてもよい。
このように構成された背もたれであれば、支持領域に比べて背部領域を複雑な工夫なしに撓みやすくすることができるため、請求項５または請求項６の構成を容易に実現することができる。
【００２２】
上述した請求項５から請求項７のいずれかに記載された背もたれは、請求項８に記載のように、上記腰部領域および上記背部領域が、左右に広がる板状部材を、上下方向に複数並べてなる構成であってもよい。
【００２３】
このように構成された背もたれであれば、上記腰部領域および上記背部領域を板状部材にて構成することができる。また、板状部材が左右方向に長さを有しているため、腰部領域を構成する板状部材を、左右方向に沿って撓みやすさを変えることで、上述した屈曲領域および支持領域を容易に形成することができる。
【００２４】
また、上述した請求項８に記載された背もたれは、請求項９に記載のように、上記背部領域に配置された複数の板状部材の上下方向に関する間隔が、上記腰部領域に配置された複数の上記板状部材の上下方向に関する間隔よりも大きく構成されていてもよい。
【００２５】
このように構成された背もたれは、板状部材が背部領域における上下方向の間隔が広くなるように配置されているため、背部領域における剛性が低下する。その結果、着席した状態における使用者の姿勢の変化に追従して背部領域が容易に撓むため、着席して行う動作の妨げになりにくくなり、腰部をホールドしつつ背部に自由度を持たせることで、椅子を快適に使用できるようになる。
【００２６】
請求項１０に記載の発明は、請求項５から請求項９のいずれかに記載の背もたれであって、上記背もたれが、上記腰部領域および上記背部領域を有する背中支持体と、背中支持体を囲むように支持する枠体と、から構成されていることを特徴とする。
【００２７】
このように構成された背もたれであれば、背中のホールドを実現する腰部領域が、適切な位置で正しく撓むように枠体によって補強される。よって、使用者の背中をより適切にホールドすることができ、安定した適切な着席姿勢を保つことができる。
【００２８】
ところで、上述した請求項１０に記載の背もたれにおいて、背中支持体は、枠体に支持されているものであるから、その撓みやすさは枠体の剛性の影響を受けることとなる。そこで、請求項１０に記載の背もたれは、請求項１１に記載したように、上記枠体が、上記腰部領域を支持する腰部支持部と、上記背部領域を支持しており、上記腰部支持部よりも撓みやすい背部支持部と、を有するように構成してもよい。
【００２９】
このように構成された背もたれは、背部支持部が容易に撓むこととなる。よって、着席した状態における使用者の姿勢の変化に追従して背部支持部が容易に撓む結果、着席して行う動作の妨げになりにくくなり、腰部をホールドしつつ背部に自由度を持たせることで、椅子を快適に使用できるようになる。
【００３０】
上述したように枠体の撓みやすさを変化させるための具体的な構成は特に限定されない。例えば、腰部支持部と背部支持部とを異なる材質で形成する構成が考えられる。
また、上記以外の枠体の撓みやすさを変化させるための構成として、請求項１１に記載の背もたれは、請求項１２に記載のように、上記枠体において、上記腰部支持部が、上記背部支持部よりも厚く形成されていてもよい。
【００３１】
このように構成された枠体であれば、腰部支持部に比べて背部支持部を複雑な工夫なしに撓みやすくすることができるため、請求項６に記載の構成を容易に実現することができる。
【００３２】
請求項１３に記載の発明は、請求項１から請求項１２のいずれかに記載の背もたれを備える椅子である。
このように構成された椅子であれば、上記請求項１から請求項１２のいずれかに記載の背もたれを利用することにより、快適な座り心地を実現することができる。
【発明を実施するための最良の形態】
【００３３】
以下に本発明の実施形態を図面と共に説明する。
（１）椅子の構成
本実施形態の椅子１は、図１および図２に示すように、脚体１０と、脚体１０により支持される座体２０および背もたれ３０とからなる。
【００３４】
脚体１０は、座体２０の左右方向の両側に配置される一対の前脚１１および一対の後脚１２と、これら前脚１１および後脚１２を、それぞれの上端において接続する左右方向の両側に配置される一対の接続部１３と、左右方向に延びる柱状の部材であって、左右の前脚１１を連結する連結部材１４と、前脚１１および後脚１２の下端部に取り付けられたキャスター１５と、を有している。
【００３５】
前脚１１は後傾するように配置されており、後脚１２は前傾するように配置されている。後脚１２は、前脚１１よりも左右方向に関して椅子１の外側に配置されている。
座体２０は、使用者が着席する着座面２１を有しており、連結部材１４などにより下方向から支持されている。
【００３６】
背もたれ３０は、座体２０の後方において、やや後傾した角度で左右の接続部１３に固定されており、着席する使用者の背中を支持する。
（２）背もたれの構成
背もたれ３０は、図１に示すように椅子１の使用者がもたれかかる背中支持体３１と、背中支持体３１を囲むように支持する枠体３２と、から構成されている。
【００３７】
背中支持体３１は、左右に広がる可撓性を有する板状部材３３を、所定の間隔を開けて上下方向に複数並べて構成されている。
この背中支持体３１は、人の腰部が当たる腰部領域３４と、腰部領域３４の上方向に位置する背部領域３５と、を有している。そして腰部領域３４は、左右方向の中央に位置する屈曲領域３６と、屈曲領域３６の左右両側に位置する支持領域３７と、を有する。
【００３８】
背中支持体３１を構成する板状部材３３のうち、腰部領域３４に配置された板状部材３３の水平方向の断面図（図２におけるＡ−Ａ断面図）を図３（ａ）に示す。この板状部材３３は、左右の両側面における支持領域３７から、中央の屈曲領域３６に向かって、前後方向の厚みが漸次薄くなるように形成されているため、屈曲領域３６は支持領域３７よりも薄くなっている。その結果、支持領域３７は、屈曲領域３６よりも撓みにくくなっている。
【００３９】
また、背中支持体３１を構成する板状部材３３のうち、背部領域３５に配置された板状部材３３の水平方向の断面図（図２におけるＢ−Ｂ断面図）を図３（ｂ）に示す。この板状部材３３は、支持領域３７よりも薄く形成されている。その結果、背部領域３５は、支持領域３７よりも撓みやすくなっている。
【００４０】
なお、腰部領域３４に配置された板状部材３３は、支持領域３７が屈曲領域３６よりも前方に位置するように曲がって形成されている。背部領域３５に配置された板状部材３３も同様である。
【００４１】
上述した枠体３２は、図１に示すように、背中支持体３１を囲うように上下左右方向に拡がっている。この枠体３２は、図２に示すように、腰部領域３４を形成する板状部材３３を支持する腰部支持部３８と、背部領域３５を形成する板状部材３３を支持する背部支持部３９と、を有している。
【００４２】
腰部支持部３８は、背部支持部３９よりも前後方向の厚みが厚く形成されている。そのため、背部支持部３９は、腰部支持部３８よりも撓みやすい。
（３）着席時の背もたれの作用
椅子１の背もたれ３０に使用者がもたれたときの腰部領域３４（図２におけるＡ−Ａ断面）における板状部材３３の撓んだ状態を図４に示す。
【００４３】
荷重が掛かった腰部領域３４の板状部材３３は、相対的に撓みやすい屈曲領域３６が後方に折れ曲がるような形で大きく撓んで変形する。一方、相対的に撓みにくい支持領域３７は大きく撓まない。そのため、屈曲領域３６は後方に変位するものの、支持領域３７は矢印Ｃ方向に移動する。
【００４４】
その結果、荷重を受けて撓んだ板状部材３３Ｂにおける屈曲領域３６の位置に対する支持領域３７の位置は、荷重を受けない状態の板状部材３３Ａにおける屈曲領域３６に対する支持領域３７の位置よりも前方に位置することとなり、図５に示すように、使用者の背中２を支持領域３７が左右両側後方からホールドすることとなる。また、支持領域３７は相対的に可撓性が低いため、背中２をホールドしたときに、背中２の形状に沿って容易に変形しない。その結果、人の腰部を板状部材３３における支持領域３７に該当する箇所が左右後方側面から背中をしっかりとホールドすることとなる。
【００４５】
また、椅子１の背もたれ３０に使用者がもたれたときの背部領域３５（図２におけるＢ−Ｂ断面）における板状部材３３の変形を、図６に示す。
背中２によって荷重が掛かった背部領域３５の板状部材３３は、その背中２の動きに応じて撓んで変形する。なお、この図６は、背部領域３５に荷重が掛かった状態を示す一例であり、背部領域３５のどの部分に荷重が掛かっても同様に撓んで変形する。
【００４６】
また、枠体３２は、後方に荷重が掛かると、図２において破線で示すように、背部支持部３９が後方に撓んで変形する。
（４）効果
本実施例の椅子１であれば、使用者が背もたれ３０にもたれると、背もたれ３０が撓んでクッション性を得られる上、着席時の使用者の腰部を背中支持体３１がホールドするため、使用者の安定した適切な着席姿勢を保つことができ、長時間の着座でも疲れ難い快適な座り心地を実現することができる。また、使用者の腰部より上方向の背部においては、背中支持体３１がホールドせずに容易に撓み、体の動きに追従しやすくなっているため、着席して行う動作の妨げにならず、腰部をホールドしつつ背部に自由度を持たせることで、椅子１を快適に使用することができる。
【００４７】
また、上述した使用者の腰部をホールドする機能を、板状部材３３の左右方向の厚みを変化させることで実現している。同様に、使用者の背部が当たる背部領域３５が体の動きに追従し易くなる機能を、板状部材３３の背部領域３５の厚みの調整や、枠体３２の厚みを腰部支持部３８と背部支持部３９とで変化させることで実現している。そのため、上述した各機能を実現するために、背もたれ３０を複雑な構造としたり、複数の異なる材質の部材を組み合わせて製造したりする必要が無くなるため、製造コストを低減することができる。
【００４８】
なお、比較例として、本実施例と同様に板状部材３３を備えているものの、その厚みの変化が無く、本発明の特徴を有さない従来の背もたれに使用者がもたれたときの断面図を図７に示す。板状部材３３は、荷重を受けて撓むものの、背中２の形に沿って変形しているため、背中２をホールドすることができない。
（５）変形例
以上、本発明の実施形態について説明したが、本発明は、上記実施形態に何ら限定されることはなく、本発明の技術的範囲に属する限り種々の形態をとり得ることはいうまでもない。
【００４９】
例えば、上記実施形態においては、背中支持体３１における屈曲領域３６と、その両側の支持領域３７と、の撓みやすさを変化させるために、板状部材３３の前後方向への厚みを変化させる構成を例示したが、屈曲領域３６と支持領域３７との撓みやすさを変化させることができれば、その具体的な構成は特に限定されない。
【００５０】
例えば、背中支持体３１を、板状部材３３に代えて、可撓性を付与するための多数の開口を設けた樹脂製の基板で形成し、屈曲領域３６におけるその開口の開口率を支持領域３７の開口率よりも大きくなるように形成して、屈曲領域３６を撓みやすくする構成や、撓みやすさの異なる複数の基板を用意し、撓みやすい基板を屈曲領域３６に配置し、撓みにくい基板を支持領域３７に配置して組み合わせることで背中支持体３１を形成する構成などが考えられる。
【００５１】
また、板状部材３３の前後方向の厚みは、支持領域３７からに屈曲領域３６向かって漸次薄くなるように変化していく構成を例示したが、支持領域３７および屈曲領域３６それぞれは一定の厚さであって、接続部分で厚みが変化する構成であってもよいし、段階的に厚みが変化していく構成であってもよい。
【００５２】
また、上記実施形態においては、枠体３２における腰部支持部３８と背部支持部３９との撓みやすさを変化させるために、枠体３２の前後方向の厚みを変化させる構成を例示したが、枠体３２の撓みやすさを変化させることができれば、具体的な構成は特に限定されない。例えば、腰部支持部３８と背部支持部３９とで異なる材質を用いて形成してもよいし、腰部支持部３８の内部に金属などの芯を挿入して剛性を高めることとしてもよい。
【００５３】
また、枠体３２の左右方向の厚みを変化させたり、枠体３２の太さ（前後と左右両方の厚み）を変化させて撓みやすさを変化させたりしてもよい。
さらに、枠体３２の背部支持部３９、および、背中支持体３１の背部領域３５の撓みやすさを高めるために、板状部材３３の上下方向の間隔を変化させることとしてもよい。図８（ａ）に示すように、板状部材３３の間隔を広くすると、背部領域３５を構成する板状部材３３の全体数が減り、密度も下がるため、背部領域３５の撓みやすさが増し、使用者の動作に対する追従性が向上する。
【００５４】
また、上記実施形態においては、背中支持体３１におけるホールドを実現する領域は、使用者の腰部が接触する腰部領域３４に限定されたものであったが、背中支持体３１全体が使用者の背中をホールドするように構成してもよい。このように構成された背中支持体３１は、使用者が背部を動かす機会が少ない場合や、背部を動かさないことが望まれる場合に用いられる椅子１に適用させると都合がよい。
【００５５】
また、腰部領域３４のみがホールドを実現し、背部領域３５は屈曲領域３６と比較して可撓性が低くなるように構成されていてもよい。
【図面の簡単な説明】
【００５６】
【図１】椅子の正面図
【図２】椅子の側面図
【図３】腰部領域における板状部材の断面図
【図４】腰部領域における板状部材の断面図
【図５】腰部領域における板状部材が背中をホールドした状態を示す断面図
【図６】背部領域における板状部材が背中の動作に追従して変化した状態を示す断面図
【図７】従来の椅子の背もたれに荷重が加わった状態を示す断面図
【図８】背中支持体の変形例を示す正面図
【符号の説明】
【００５７】
１…椅子、２…背中、１０…脚体、１１…前脚、１２…後脚、１３…接続部、１４…連結部材、１５…キャスター、２０…座体、２１…着座面、３０…背もたれ、３１…背中支持体、３２…枠体、３３…板状部材、３４…腰部領域、３５…背部領域、３６…屈曲領域、３７…支持領域、３８…腰部支持部、３９…背部支持部
【図１】
2010051384.tif 000003
【図２】
2010051384.tif 000004
【図３】
2010051384.tif 000005
【図４】
2010051384.tif 000006
【図５】
2010051384.tif 000007
【図６】
2010051384.tif 000008
【図７】
2010051384.tif 000009
【図８】
2010051384.tif 000010